(57)【要約】【課題】ユーザーが扉本体の上端部に触れた場合であっても、ユーザーが感じる熱さを十分に低減できる上に、その断熱部が外れにくく、しかも、意匠性の低下を防ぐことができるグリル扉を提供する。【解決手段】本発明は、グリル庫７１と、このグリル庫７１の上面とケーシング５０との間に設けられた断熱用間隙７４とを備えたグリル部７に、開閉自在に設けられるグリル扉１である。グリル扉１は、扉本体２と、断熱用間隙７４内に挿通される庇部３２と、この庇部３２および扉本体２の上端部を覆う断熱部４とを具備する。断熱部４は、庇部３２の上面に固定された第一樹脂部４１と、第一樹脂部４１よりも耐熱温度が低い第二樹脂部４３とを備える。第二樹脂部４３は、扉本体２の前面上端部に位置する化粧部４４と、この化粧部４４から後方に向かって突出して扉本体２と第一樹脂部４１との間で挟持される支持部４５とを有する。【選択図】図３
2014037948.tif 000002
【特許請求の範囲】
【請求項１】
ケーシングの内部にグリル部が設けられ、
このグリル部は、前方に開口するグリル庫と、このグリル庫の上面と前記ケーシングとの間に設けられ前方に開口する断熱用間隙とを備えており、
このグリル部に開閉自在に設けられるグリル扉であって、
前記グリル庫の前方開口を開閉自在に閉塞する扉本体と、
前記グリル庫の前方開口を閉じた状態において前記扉本体の上端から後方に向かって突出し前記断熱用間隙内に挿通される金属製の庇部と、
この庇部および扉本体の上端部を覆う樹脂製の断熱部と
を具備し、
前記断熱部は、
前記庇部の上面に隙間を介した状態で固着具により固定された第一樹脂部と、
この第一樹脂部の前端部に沿って設けられ前記第一樹脂部よりも耐熱温度が低い第二樹脂部と
を備え、
前記第二樹脂部は、
前記扉本体の前面上端部に位置する化粧部と、
この化粧部から後方に向かって突出し前記扉本体と前記第一樹脂部との間で挟持され、これにより前記化粧部を前記扉本体の前面上端部に保持する支持部と
を有している
ことを特徴とするグリル扉。
【請求項２】
前記第二樹脂部は、
前記化粧部の左右方向のそれぞれの端部から後方に向かって突出した側方化粧部と、
各側方化粧部に設けられ、正面視において前記扉本体の左右方向の中央側に向かって突出した側方支持部と
をさらに備え、
この側方支持部が、前記庇部と前記第一樹脂部との間に挟持されている
ことを特徴とする請求項１記載のグリル扉。
【発明の詳細な説明】
【技術分野】
【０００１】
本発明は、グリル部の前方開口を開閉するグリル扉に関する。
【背景技術】
【０００２】
特許文献１には、従来のグリル扉が開示されている。特許文献１記載の調理器は、被加熱物を内部に収容して加熱するためのグリル庫と、このグリル庫の前方開口を開閉するグリル扉とを備えている。このグリル扉の上端部には、後方に向かって突出するシール部が設けられている。また、グリル扉の上端部において、シール部よりも上方の箇所には、断熱材が取り付けられている。
【０００３】
この断熱材は、シリコンゴムにより構成されている。断熱材は、グリル扉の上端面を上方から覆うよう、グリル扉の上端に嵌め込むようにして固定されている。
【先行技術文献】
【特許文献】
【０００４】
【特許文献１】特開２００３−９３２４２号公報
【発明の概要】
【発明が解決しようとする課題】
【０００５】
この特許文献１記載の調理器は、グリル扉の上端に断熱材が取り付けられているため、ユーザーがグリル扉の上端部に触れたときの熱さを緩和することができる。しかしながら、この調理器に用いられる断熱材は、シリコンゴム製の断熱材であり、すなわち、軟質材料により構成されている。しかも、この断熱材は、グリル扉の上端部に嵌め込むだけで固定されたものである。このため、グリル庫への調理物の出し入れの際に、ユーザーの手が断熱材に触れると、この断熱材が外れる場合があり、使い勝手が悪い。
【０００６】
また、特許文献１記載のグリル扉の上端部には、シール部が設けられている。このシール部は、グリル庫からの排気の漏れを防ぐものであるため、使用中には高熱になってしまう。しかしながら、このシール部は、後方に突出している上に、断熱材にも覆われていないため、ユーザーはこの調理器を使用する際、シール部に誤って触れてしまうことも考えられる。
【０００７】
この点について、特許文献１記載の断熱材を、グリル扉の上端だけでなく、シール部までも共に覆うようにすることが考えられる。この場合、シール部の温度は高温になるため、耐熱温度が高い断熱材を使用する必要があるが、耐熱温度の高い樹脂は、黒色や灰色といった限定的な色にしかできないという問題がある。すなわち、断熱材は、グリル扉の上端を覆うように取り付ける必要があって、断熱材の一部が外部に露出してしまうため、断熱材が黒色や灰色といった限定的な色にしかできないと、意匠性が低下してしまう。
【０００８】
本発明は、上記事情に鑑みてなされたものであり、その目的とするところは、ユーザーが扉本体の上端部に触れた場合であっても、ユーザーが感じる熱さを十分に低減できる上に、その断熱部が外れにくく、しかも、意匠性の低下を防ぐことができるグリル扉を提供することにある。
【課題を解決するための手段】
【０００９】
本発明のグリル扉は、ケーシングの内部にグリル部が設けられ、このグリル部は、前方に開口するグリル庫と、このグリル庫の上面と前記ケーシングとの間に設けられ前方に開口する断熱用間隙とを備えており、このグリル部に開閉自在に設けられるグリル扉であって、前記グリル庫の前方開口を開閉自在に閉塞する扉本体と、前記グリル庫の前方開口を閉じた状態において前記扉本体の上端から後方に向かって突出し前記断熱用間隙内に挿通される金属製の庇部と、この庇部および扉本体の上端部を覆う樹脂製の断熱部とを具備し、前記断熱部は、前記庇部の上面に隙間を介した状態で固着具により固定された第一樹脂部と、この第一樹脂部の前端部に沿って設けられ前記第一樹脂部よりも耐熱温度が低い第二樹脂部とを備え、前記第二樹脂部は、前記扉本体の前面上端部に位置する化粧部と、この化粧部から後方に向かって突出し前記扉本体と前記第一樹脂部との間で挟持され、これにより前記化粧部を前記扉本体の前面上端部に保持する支持部とを有していることを特徴とする。
【００１０】
またこのグリル扉において、前記第二樹脂部は、前記化粧部の左右方向のそれぞれの端部から後方に向かって突出した側方化粧部と、各側方化粧部に設けられ、正面視において前記扉本体の左右方向の中央側に向かって突出した側方支持部とをさらに備え、この側方支持部が、前記庇部と前記第一樹脂部との間に挟持されていることが好ましい。
【発明の効果】
【００１１】
本発明のグリル扉によれば、ユーザーが扉本体の上端部に触れた場合であっても、ユーザーが感じる熱さを十分に低減できる上に、その断熱部が外れにくく、しかも、意匠性の低下を防ぐことができる。
【図面の簡単な説明】
【００１２】
【図１】本実施形態の加熱調理器を示す斜視図である。
【図２】本実施形態の加熱調理器を示す斜視図である。
【図３】本実施形態の加熱調理器のグリル扉の上端部周辺の要部断面図である。
【図４】本実施形態のグリル扉の断面図である。
【図５】本実施形態のグリル扉の斜視図である。
【図６】本実施形態のグリル扉の分解斜視図である。
【図７】本実施形態の第二樹脂部の斜視図である。
【発明を実施するための形態】
【００１３】
以下、本発明の実施形態について添付図面に基づいて説明する。
【００１４】
本実施形態のグリル扉１は、図１に示されるように、グリル付きの加熱調理器に用いられる。グリル扉１は、加熱調理器のグリル部７に開閉自在に取り付けられる。
【００１５】
加熱調理器としては、例えば、こんろバーナ５６を備えたガスこんろや、電熱線等を用いた加熱部を有する電気こんろや、電磁調理器（ＩＨ（Induction Heating）調理器）であってもよく、また、ビルトイン型のこんろや、テーブルこんろや、こんろ部を備えない単独のグリル調理器であってもよく、特に限定されない。なお、本実施形態の加熱調理器は、複数のこんろバーナ５６を備えたビルトイン型のガスこんろである。
【００１６】
加熱調理器は、機器本体５と、天板６とを備えている。機器本体５は、当該機器本体５の外郭を形成するケーシング５０と、ケーシング５０内に配置された複数のこんろバーナ５６と、ケーシング５０内に配置されたグリル部７とを有している。
【００１７】
ケーシング５０は、前面・後面・両側面・底面を有する有底箱形状に形成されている。また、ケーシング５０は、前面の上端から後方に向かって延出した天面前部５１と、天面前部５１の後方側の先端から上方に向かって延出した縦面部５２と、上方開口部５３とを備えている。上方開口部５３は、縦面部５２の上端と、両側面部の上端と、後面の上端とにより構成されており、平面視矩形枠状に形成されている。ケーシング５０の前面には、図２に示されるように、グリル扉１が取り付けられるグリル部用開口５４と、グリル部用開口５４の左右両側に設けられた操作部５５とが設けられている。操作部５５は、ユーザーがこんろバーナ５６やグリル部７を操作するために用いられる。
【００１８】
天板６は、ケーシング５０の上方開口部５３を塞ぐようにして取り付けられる。天板６は、排気口部６１と、バーナ設置部６２とを備えている。排気口部６１は、天板６の後部に配置されている。排気口部６１は、平面視矩形状の開口により構成されており、天板６を上下方向に貫通している。排気口部６１には、網状の排気カバー６３が取り付けられている。排気口部６１は、グリル部７に連通しており、グリル部７からの排気を加熱調理器の外部に排出する。バーナ設置部６２は、複数の貫通孔（本実施形態では３つ）を有している。バーナ設置部６２には、ケーシング５０の内部に収容配置されたこんろバーナ５６が取り付けられる。天板６は、例えば、ガラスや、ステンレス板により構成されるが、特に限定されない。
【００１９】
加熱調理器がキャビネットに設置されると、機器本体５は前面が露出した状態でキャビネット内に埋設され、天板６はキャビネットの上面に載設される。
【００２０】
機器本体５の内部には、グリル部７が設けられている。グリル部７は、被加熱物を内部に収容して、被加熱物を上下両側から加熱する。グリル部７は、図３に示されるように、グリル庫７１と、グリル庫７１の上方に設けられた断熱用間隙７４とを備えている。
【００２１】
グリル庫７１は、筐体７２と、熱源となるグリルバーナ（図示せず）とを備えている。筐体７２は、前方に向かって開口した前方開口を有している。この前方開口は、ケーシング５０の前面のグリル部用開口５４に接続されている。この筐体７２の前方開口の周縁部には、扉当接部７３が設けられている。扉当接部７３には、閉じた状態のグリル扉１の背面が当接または近接対向するようになっている。
【００２２】
グリル庫７１の下部後方には、グリル受皿（図示せず）が設けられている。グリル受皿には、被加熱物を載置するための焼き網（図示せず）が設置される。これにより、被加熱物をグリルバーナにて加熱できるようになっている。また、グリル庫７１の後部には、排気通路（図示せず）が接続されている。排気通路は、グリル庫７１の後部から上方に向かって延出し、天板６の排気口部６１に接続されている。言い換えると、排気通路は、一端がグリル庫７１に連通接続され、他端が排気口部６１に連通接続されている。排気通路は、グリルバーナの燃焼排ガスを排気口部６１に導き、これにより、グリル庫７１内の燃焼排ガスをグリル庫７１外に排気させる。
【００２３】
グリルバーナは、上バーナ（図示せず）と、下バーナ（図示せず）とを備えている。上バーナは、グリル庫７１の上部に配置されており、グリル庫７１内に収容された被加熱物の上面を加熱する。下バーナは、グリル庫７１の下部に、左右一対設けられている。下バーナは、グリル庫７１内に収容された被加熱物の下面を加熱する。
【００２４】
なお、グリルバーナは、上下方向のうちのいずれか一方のバーナにより構成されたものであってもよく、特に限定されない。また、グリル庫７１の熱源として、グリルバーナに替えて、通電により発熱し輻射熱を放射するヒータが用いられてもよい。
【００２５】
断熱用間隙７４は、グリル庫７１の熱がケーシング５０に向かって熱伝導するのを抑制する。断熱用間隙７４は、図３に示されるように、グリル庫７１の筐体７２の上面と、ケーシング５０の天面前部５１との間の空隙により構成されている。言い換えると、断熱用間隙７４は、グリル庫７１の上面とケーシング５０との間に設けられている。また、断熱用間隙７４は、正面視において、グリル部用開口５４の左右方向の略全長に亙って形成されている。断熱用間隙７４は、前方に開口している。また、断熱用間隙７４は、ケーシング５０の内部に連通しており、また、天板６の下方を介して排気口部６１に連通している。
【００２６】
グリル扉１は、グリル部用開口５４にレールを介して引き出し自在に取り付けられる。つまり、グリル扉１は、グリル部７に開閉自在に設けられている。
【００２７】
グリル扉１は、図４に示されるように、扉本体２と、扉本体２の上端に取り付けられた庇金具３と、扉本体２の上端部を覆う断熱部４とを備えている。グリル扉１は、グリル庫７１の前方開口を閉じた状態では、庇金具３の一部が断熱用間隙７４に挿通されるようになっている。
【００２８】
扉本体２は、グリル庫７１の前方開口を開閉自在に閉塞する。扉本体２は、図５に示されるように、上下方向に幅を有し、左右方向に長さを有し、これにより正面視矩形状をしている。扉本体２は、窓部２１と、把持部２２とを備えている。窓部２１は、扉本体２の上下方向の中央部よりも上方に形成されている。窓部２１には、ガラス等の透光性を有する透明部材が嵌め込まれている。把持部２２は、扉本体２の前面に、左右方向の略全長に亙って設けられている。扉本体２の上端面には、庇金具３が載設される。
【００２９】
庇金具３は、図３，４，６に示されるように、扉本体２の上端面に固着具８を介して固定されている。庇金具３は、扉本体２の後面よりも後方に向かって突出している。庇金具３は、金属により構成されている。庇金具３は、扉本体２の上端に固定される固定部３１と、固定部３１の後方側の先端から後方に向かって延出した庇部３２とを備えている。固定部３１は、前方側の先端が下方に屈曲しており、断面略横倒しＬ字状をしている。固定部３１は、前方側の先端が扉本体２の前面に当接した状態で、扉本体２の上端面に固定される。庇部３２は、後方側の先端が上方に向かって屈曲しており、断面略横倒しＬ字状をしている。固定部３１と庇部３２とは、プレス加工等により一体成形されている。
【００３０】
断熱部４は、庇金具３の上面および扉本体２の上端部を覆う。言い換えると、断熱部４は、庇部３２および扉本体２の上端部を覆う。断熱部４は、第一樹脂部４１と、第二樹脂部４３との２部材で構成されており、これらは共に、硬質樹脂により構成されている。
【００３１】
第一樹脂部４１は、庇金具３の上面に、固着具８（例えば、ねじ具）を介して固定されている。第一樹脂部４１は、高耐熱性樹脂により構成されている。また、第一樹脂部４１は、硬質樹脂により構成されており、例えば、ＰＰＳ樹脂(ポリフェニレンサルファイド)により構成されている。
【００３２】
第一樹脂部４１は、図６に示されるように、前後方向に幅を有すると共に左右方向に長さを有しており、平面視矩形状をしている。第一樹脂部４１は、図４に示されるように、庇部３２の上面に対向配置される後カバー部４１１と、固定部３１の上面に当接する固着部４１２と、固着部４１２の前端に形成された係止部４１３とを備えている。後カバー部４１１と固着部４１２と係止部４１３とは、例えば、射出成形や注型成形等により一体成形される。
【００３３】
後カバー部４１１の下面には、下方に向かって突出する突起部（図示せず）が設けられている。これにより、後カバー部４１１は、庇金具３に固定された状態では、庇部３２の上面との間に、一定の隙間４２を形成するようになっている。
【００３４】
固着部４１２には、複数の固着具挿通孔４１４が設けられている。固着具挿通孔４１４は、長さ方向に並ぶよう等ピッチで配置されている。固着具挿通孔４１４には固着具８が挿通される。第一樹脂部４１は、固着具挿通孔４１４に固着具８が挿通され、庇金具３と共に扉本体２の上端面に固定される。
【００３５】
係止部４１３は、第二樹脂部４３を固定するために設けられている。係止部４１３は、第一樹脂部４１の前端縁および左右方向の両端縁に設けられている。第一樹脂部４１の前端縁に設けられた係止部４１３は、左右方向の略全長に亙って形成されている。第一樹脂部４１の左右方向の両端縁に設けられた係止部４１３は、前後方向の略全長に亙って形成されている。係止部４１３は、断面下向き略コ字状をしている。側面視において、係止部４１３の前端は、庇金具３の前面と略同位置に位置している。
【００３６】
第二樹脂部４３は、低耐熱性樹脂により構成されている。言い換えると、第二樹脂部４３は、第一樹脂部４１よりも耐熱温度が低い。第二樹脂部４３は、硬質樹脂により構成されており、例えば、ＰＥＴ／ＰＢＴ樹脂（ポリエチレンテレフタレートとポリブチレンテレフタレートとの複合樹脂）により構成されている。
【００３７】
第二樹脂部４３は、図７に示されるように、扉本体２の前面上端部に配置される化粧部４４と、化粧部４４から後方に向かって突出した支持部４５（図４参照）と、化粧部４４の左右方向のぞれぞれの端部から後方に向かって突出した側方化粧部４６と、側方化粧部４６に設けられた側方支持部４７とを備えている。化粧部４４と支持部４５と側方化粧部４６と側方支持部４７とは、例えば、射出成形や注型成形等により一体成形される。第二樹脂部４３は、第一樹脂部４１の前端部および側端部に沿って配置されている。
【００３８】
化粧部４４は、扉本体２の上端部において左右方向の略全長に亙って設けられている。化粧部４４は、上下方向に幅を有し、左右方向に長さを有している。化粧部４４の上端面は、グリル扉１が閉じた状態では、図３に示すように、ケーシング５０の天面前部５１の下面に近接対向するようになっている。化粧部４４は、扉本体２の前面から前方に向かって突出している。
【００３９】
化粧部４４は、上述のように、低耐熱性樹脂により構成されている。このため、着色が自由に行いやすいものとなっている。なお、高耐熱性樹脂により形成された第一樹脂部４１は、黒色や灰色等の限定的な色にしかすることができず、着色の自由度は小さい。
【００４０】
支持部４５は、化粧部４４の後面から後方に向かって延出している。支持部４５は、先端が上方に突出した断面Ｌ字状をしている。支持部４５は、扉本体２の上端面に固定された庇金具３の固定部３１と、第一樹脂部４１の係止部４１３の先端との間に挟持された状態で、係止部４１３に係合する。言い換えると、支持部４５は、扉本体２と第一樹脂部４１との間で挟持されている。支持部４５は、第一樹脂部４１と扉本体２との間に固定されることにより、化粧部４４を扉本体２の前面上端部に保持する。
【００４１】
側方化粧部４６は、化粧部４４の左右方向の両端部から後方に向かって延出している。側方化粧部４６の後端は、庇金具３の後端と略同位置に位置している。各側方化粧部４６には、正面視において、扉本体２の左右方向の中央側に向かって突出した側方支持部４７が設けられている。
【００４２】
側方支持部４７は、側方化粧部４６の前後方向の略全長に亙って設けられている。側方支持部４７は、化粧部４４に設けられた支持部４５と同じ断面形状となっており、すなわち、断面Ｌ字状に形成されている。側方支持部４７は、庇金具３と第一樹脂部４１との間に挟持されている。言い換えると、側方支持部４７は、庇部３２と第一樹脂部４１との間に挟持される。これにより、側方化粧部４６は安定的に固定される。
【００４３】
グリル扉１を閉じると、図３に示されるように、グリル扉１の後面から後方に向かって突出した庇部３２が断熱用間隙７４内に挿通される。また、グリル扉１の後面が、グリル庫７１の前方開口の周縁部の扉当接部７３に当接する。このとき、扉当接部７３とグリル扉１とが隙間なく当接すれば、扉当接部７３とグリル扉１との間から熱気が溢れ出るのを防ぐことができるが、扉当接部７３とグリル扉１との間には、構造上、僅かな隙間ができる。
【００４４】
この熱気は、扉当接部７３とグリル扉１との間の隙間９０を通過し、グリル庫７１の上面と庇部３２との間の隙間９１を通り、断熱用間隙７４内に流通する。断熱用間隙７４は、グリル庫７１よりも温度が低くなっているため、流入した熱気の温度を低下させる。
【００４５】
断熱用間隙７４に流入した熱気は、大部分が、天板６に設けられた排気口部６１を介して外部に放出される。また、排気口部６１に向かわなかったその他の熱気は、庇部３２の下方を通過した後、第一樹脂部４１の上方側に回りこんで、ケーシング５０の天面前部５１の下面と化粧部４４との間の隙間９２に向かって移動する。このとき、化粧部４４に至る熱気の温度は、断熱用間隙７４を移動する際に、熱交換して低下しているため、化粧部４４は、高熱の熱気に晒され難くなっている。そして、この熱気は、化粧部４４の上端と天面前部５１の下面との間の隙間９２を介して、外部に放出される。
【００４６】
また、庇部３２と第一樹脂部４１との間には、一定の隙間４２が介在しているため、庇部３２が高温になったとしても、第一樹脂部４１への熱伝導を低減させることができる。しかも、第一樹脂部４１に触れる熱気は、庇部３２に沿って迂回して、一旦、断熱用間隙７４内を流通した熱気であるため、ある程度、温度低下している。このため、第一樹脂部４１として、高耐熱性樹脂でなく、低耐熱性樹脂を用いた場合であっても、耐熱性に関する問題は生じにくい。
【００４７】
なお、グリル扉１に庇部３２が設けられていない場合、グリル部７を使用すると、扉当接部７３とグリル扉１との間の隙間９０を通過した熱気の大部分は、化粧部４４の上端と端面前部の下面との間の隙間９２に流れ込み、外部に放出される。つまり、庇部３２が設けられていないグリル扉１を使用した場合に、化粧部４４の上端と端面前部の下面との間の隙間９２から放出される熱気は、本実施形態のように、グリル庫７１から溢れ出した熱気のうち、庇部３２に衝突した後に回り込んだ僅かな量の熱気ではないため、化粧部４４の上端と端面前部の下面との間の隙間９２から放出される熱気の量が多くなり、したがって、庇部３２が設けられていないグリル扉１では、上端部における温度が高くなってしまうことになる。
【００４８】
つまり、断熱用間隙７４に没入する庇部３２および第一樹脂部４１を備えたグリル扉１を用いた場合には、庇部３２および第一樹脂部４１を備えないグリル扉１を用いた場合に比べて、グリル扉１の上端部における温度が低減される。
【００４９】
以上説明したように、本実施形態のグリル扉１は、グリル部７に開閉自在に設けられるものである。グリル部７は、ケーシング５０の内部に設けられている。グリル部７は、グリル庫７１と、断熱用間隙７４とを備えている。グリル庫７１は、前方に開口している。断熱用間隙７４は、グリル庫７１の上面とケーシング５０との間に設けられており、前方に開口している。グリル扉１は、扉本体２と、庇部３２と、断熱部４とを具備している。扉本体２は、グリル庫７１の前方開口を開閉自在に閉塞する。また、庇部３２は、グリル庫７１の前方開口を閉じた状態において、扉本体２の上端から後方に向かって突出しており、断熱用間隙７４内に挿通されるものである。断熱部４は、庇部３２および扉本体２の上端部を覆っており、硬質樹脂により構成されている。断熱部４は、第一樹脂部４１と、第二樹脂部４３とを備えている。第一樹脂部４１は、庇部３２の上面に隙間４２を介した状態で、固着具８により固定されている。第二樹脂部４３は、第一樹脂部４１の前端部に沿って設けられており、第一樹脂部４１よりも耐熱温度が低い。また、第二樹脂部４３は、化粧部４４と、支持部４５とを備えている。化粧部４４は、扉本体２の前面上端部に位置する。支持部４５は、化粧部４４から後方に向かって突出して扉本体２と第一樹脂部４１との間で挟持され、これにより、化粧部４４を扉本体２の前面上端部に保持するものである。
【００５０】
このため、本実施形態のグリル扉１によれば、ユーザーが、グリル庫７１内に収容された被加熱物を取り出そうとした際に、誤って、グリル扉１の上端部や庇部３２の上面部分に触れてしまったとしても、ユーザーが感じる熱さを低減させることができる。特に、本実施形態のグリル扉１は、庇部３２の上面が、第一樹脂部４１に隙間４２を介して覆われているため、第一樹脂部４１に伝導する熱を低減させることができる。
【００５１】
しかも、本実施形態のグリル扉１は、グリル部７を閉じた状態で、庇部３２が断熱用間隙７４に挿通されるため、グリル扉１の上端と、ケーシング５０の前端との間の隙間９２から漏れ出す熱気の量を減らすことができ、これにより、グリル扉１の上端の温度が熱くなるのを防ぐことができる。
【００５２】
また、本実施形態のグリル扉１は、庇部３２により、グリル扉１の上端の温度が熱くなるのを防ぐことができる上に、断熱部４が、第一樹脂部４１と第二樹脂部４３との２部材で構成されているため、第一樹脂部４１として、低耐熱性樹脂を用いることができる。この低耐熱性樹脂は、自由な着色がしやすいものであるため、種々の色に着色でき、設計上の自由度を向上させることができる。この結果、グリル扉１や加熱調理器の意匠性を向上させることができる。
【００５３】
また、本実施形態の第二樹脂部４３は、側方化粧部４６と、側方支持部４７とをさらに備えている。側方化粧部４６は、化粧部４４の左右方向のそれぞれの端部から後方に向かって突出している。側方支持部４７は、各側方化粧部４６に設けられており、正面視において扉本体２の左右方向の中央側に向かって突出している。また、側方支持部４７は、庇部３２と第一樹脂部４１との間に挟持されている。
【００５４】
このため、本実施形態のグリル扉１によれば、第一樹脂部４１の前方だけでなく、側方をも第二樹脂部４３で囲むことができる。これにより、グリル扉１を開いたときにも、第一樹脂部４１を見えにくくすることができて、グリル扉１の意匠性を向上させることができる。
【００５５】
なお、本実施形態のグリル扉１は、庇金具３の固定部３１を介して、扉本体２と第一樹脂部４１との間に第二樹脂部４３を挟持する構造となっていたが、本発明においては、庇金具３の固定部３１の前端部分が設けられずに、扉本体２と第一樹脂部４１との間に第二樹脂部４３を挟持するものであってもよい。
【００５６】
また、本実施形態のグリル扉１は、第一樹脂部４１が高耐熱性樹脂により構成され、第二樹脂部４３が低耐熱性樹脂により構成されていたが、本発明においては、このものに限定されない。
【符号の説明】
【００５７】
１      グリル扉
２      扉本体
３      庇金具
３１    固定部
３２    庇部
４      断熱部
４１    第一樹脂部
４１３  係止部
４２    隙間
４３    第二樹脂部
４４    化粧部
４５    支持部
４６    側方化粧部
４７    側方支持部
５      機器本体
５０    ケーシング
５１    天面前部
５２    縦面部
５３    上方開口部
５４    グリル部用開口
５５    操作部
５６    こんろバーナ
６      天板
６１    排気口部
６２    バーナ設置部
６３    排気カバー
７      グリル部
７１    グリル庫
７２    筐体
７３    扉当接部
７４    断熱用間隙
【図１】
2014037948.tif 000003
【図２】
2014037948.tif 000004
【図３】
2014037948.tif 000005
【図４】
2014037948.tif 000006
【図５】
2014037948.tif 000007
【図６】
2014037948.tif 000008
【図７】
2014037948.tif 000009